【手続補正書】
【提出日】平成28年11月21日(2016.11.21)
【手続補正１】
【補正対象書類名】明細書
【補正対象項目名】００８４
【補正方法】変更
【補正の内容】
【００８４】
【表１】
2016537471.tif 000001
以下、本発明の実施形態の例を列記する。
［１］
ａ．約４０重量パーセント〜約９８重量パーセントの１種以上のカーボネートポリマーと；
ｂ．約０．１重量パーセント〜約１０重量パーセントの１種以上の相溶化剤であって、該相溶化剤が１種以上のオレフィンを含む相溶化剤と；
ｃ．約０．１重量パーセント〜約１０重量パーセントの１種以上のオレフィン系エラストマーと
を含む複数のポリマーのブレンドを含む組成物であって；
前記オレフィン系エラストマーは、１種以上のα‐オレフィンを含み、前記オレフィン系エラストマーの前記１種以上のα‐オレフィンの合計濃度は、前記オレフィン系エラストマーの総重量に基づき、９５重量パーセント〜１００重量パーセントであり；
前記相溶化剤は、アクリル酸エステルモノマーと１種以上のα‐オレフィンとを含むかまたは本質的にアクリル酸エステルモノマーと１種以上のα‐オレフィンとからなるコポリマー、アクリル酸モノマーと１種以上のα‐オレフィンとを含むかまたは本質的にアクリル酸モノマーと１種以上のα‐オレフィンとからなるコポリマー、オキサゾリン官能性オレフィン、１種以上のアルキルアクリル酸モノマーと１種以上のα‐オレフィンとを含むかまたは本質的に１種以上のアルキルアクリル酸モノマーと１種以上のα‐オレフィンとからなるコポリマー、メタクリル酸グリシジルとα‐オレフィンとを含むかまたは本質的にメタクリル酸グリシジルとα‐オレフィンとからなるコポリマーまたはターポリマー、無水マレイン酸と１種以上のα‐オレフィンとを含むコポリマー、及び１種以上のα‐オレフィンと官能性グラフトとを含むか、本質的に１種以上のα‐オレフィンと官能性グラフトとからなるか、または完全に１種以上のα‐オレフィンと官能性グラフトとからなる主鎖を有するグラフトポリマーからなる群より選択され；前記官能性グラフトは、無水マレイン酸、アクリル酸エステル、アクリル酸、オキサゾリン、もしくはメタクリル酸グリシジル、またはそれらの組合せであり；
前記相溶化剤中の前記オレフィンの合計濃度は、前記相溶化剤の総重量に基づき、約１０重量パーセントから９５重量パーセント未満である、前記組成物。
［２］
前記組成物が、約１０重量パーセント〜約４５重量パーセントの１種以上のポリエステルを含み、前記カーボネートポリマーの濃度が約７０重量パーセント以下であり、且つ前記ポリエステルと前記カーボネートポリマーの合計濃度が、前記組成物の総重量に基づき、約７５重量パーセント〜約９８重量パーセントである項目１記載の組成物。
［３］
前記ポリエステルと前記カーボネートポリマーの合計濃度が、前記組成物の総重量に基づき、約８５重量パーセント〜約９５重量パーセントである項目２記載の組成物。
［４］
前記組成物が、前記組成物の総重量に基づき、約０．１〜約２０重量パーセントの濃度でケイ素含有ゴムを含む項目１〜３のいずれか１項に記載の組成物。
［５］
前記オレフィン系エラストマーが２種以上のα‐オレフィンを含む項目１記載の組成物。
［６］
前記オレフィン系エラストマーが、エチレンとプロピレンとを含むコポリマーである項目１〜５のいずれか１項に記載の組成物であって、前記オレフィン系エラストマーの総重量に基づき、プロピレンの濃度が約８０重量パーセント〜約９５重量パーセントであり、エチレンの濃度が約５重量パーセント〜約２０重量パーセントである前記組成物。
［７］
前記オレフィン系エラストマーが、前記オレフィン系エラストマーの総重量に基づき、約９７重量パーセント〜約１００重量パーセントのエチレンとプロピレンの合計濃度を有する項目１〜６のいずれか１項に記載の組成物。
［８］
前記相溶化剤の前記１種以上のα‐オレフィンが、２〜８個の炭素原子を有する１種以上のα‐オレフィンを含む項目１〜７のいずれか１項に記載の組成物。
［９］
前記相溶化剤が、１種以上のα‐オレフィンと、１種以上のアクリル酸アルキルとを含むコポリマーである項目１〜８のいずれか１項に記載の組成物であって、前記１種以上のα‐オレフィンの濃度が、前記相溶化剤の総重量に基づき、約１０重量パーセント〜約９０重量パーセントである前記組成物。
［１０］
前記１種以上のアクリル酸アルキルが、前記相溶化剤の総重量に基づき、約１０重量パーセント〜約９０重量パーセントの濃度で存在する項目９記載の組成物。
［１１］
前記相溶化剤が、約７０重量パーセント以上のエチレンを含む項目１〜１０のいずれか１項に記載の組成物。
［１２］
前記相溶化剤が、エチレンとアクリル酸エチルのコポリマーである項目１〜１１のいずれか１項に記載の組成物であって、エチレンとアクリル酸エチルの合計濃度は、前記相溶化剤の総重量に基づき、約９５重量パーセント〜約１００重量パーセントである前記組成物。
［１３］
前記相溶化剤が、ＡＳＴＭ  ＩＳＯ  １１３３に従って１９０℃／２．１６ｋｇで測定した場合に、約０．５〜４０ｇ／１０分のメルトインデックスを有する項目１〜１２のいずれか１項に記載の組成物。
［１４］
前記相溶化剤が、約５０℃〜約１０８℃の融点を有する項目１〜１３のいずれか１項に記載の組成物。
［１５］
前記カーボネートポリマーが、カーボネートエステルか、またはホスゲンもしくはハロホルメートから選択されるカーボネート前駆体のいずれかと、１種以上の二価フェノールとを反応させることより誘導される項目１〜１４のいずれか１項に記載の組成物。
［１６］
前記カーボネートポリマーが、ビスフェノール−Ａのポリカーボネートを含む項目１〜１５のいずれか１項に記載の組成物。
［１７］
複数のポリマーの総重量に基づき、前記カーボネートポリマーの濃度が約４０重量パーセント以上であり、前記相溶化剤の濃度が約０．２重量パーセント以上であり、且つ前記オレフィン系エラストマーの濃度が約０．２重量パーセント以上である項目１〜１６のいずれか１項に記載の組成物。
［１８］
前記組成物が、１種以上の充填剤、１種以上の添加剤、またはその両方を含む項目１〜１７のいずれか１項に記載の組成物。
［１９］
前記組成物が、中鎖トリグリセリドに対する耐性を有する項目１〜１８のいずれか１項に記載の組成物。
［２０］
前記組成物が、医用結核消毒洗浄剤に対する耐性を有する項目１〜１９のいずれか１項に記載の組成物。
［２１］
前記組成物が、ポリエステル、シリコーンエラストマー、またはその両方をさらに含む項目１記載の組成物。
［２２］
前記組成物が、０．１重量パーセント〜１５重量パーセントのエポキシ変性シリコーンアクリルゴムと、０．１重量パーセント〜２５重量パーセントのポリエチレンテレフタレートとを含む項目１記載の組成物。
［２３］
前記カーボネートポリマーと任意のポリエステルの合計濃度が、前記組成物中の複数のポリマーの総重量に基づき、約８５重量パーセント以上である項目１〜２２のいずれか１項に記載の組成物。
［２４］
前記カーボネートポリマーと、前記相溶化剤と、前記オレフィン系エラストマーと、任意のポリエステルと、任意のシリコーンエラストマーと、任意の添加剤と、任意の充填剤との合計濃度が、前記組成物の総重量に基づき、約９５重量パーセント〜約１００重量パーセントである項目１〜２３のいずれか１項に記載の組成物。
［２５］
前記組成物が、スチレン含有グラフトコポリマーを含まないか、または、スチレングラフトコポリマーと前記カーボネートポリマーの総重量に基づき、約０重量パーセント〜約２重量パーセントの前記スチレン含有グラフトコポリマーを含む項目１〜２４のいずれか１項に記載の組成物。
［２６］
前記組成物が、相溶化グラフトコポリマーを含まないか、または、前記相溶化グラフトコポリマーと前記カーボネートポリマーの総重量に基づき、約０重量パーセント〜約２重量パーセントの前記相溶化グラフトコポリマーを含む項目１〜２５のいずれか１項に記載の組成物。
【手続補正２】
【補正対象書類名】特許請求の範囲
【補正対象項目名】全文
【補正方法】変更
【補正の内容】
【特許請求の範囲】
【請求項１】
ａ．４０重量パーセント〜９８重量パーセントの１種以上のカーボネートポリマーと；
ｂ．０．１重量パーセント〜１０重量パーセントの１種以上の相溶化剤であって、該相溶化剤が１種以上のオレフィンを含む相溶化剤と；
ｃ．０．１重量パーセント〜１０重量パーセントの１種以上のオレフィン系エラストマーと
を含む複数のポリマーのブレンドを含む組成物であって；
前記オレフィン系エラストマーは、２種以上のα‐オレフィンを含み、３０重量％未満の結晶化度を有するコポリマーであって、前記オレフィン系エラストマーの前記１種以上のα‐オレフィンの合計濃度は、前記オレフィン系エラストマーの総重量に基づき、９５重量パーセント〜１００重量パーセントであり；
前記相溶化剤は、アクリル酸エステルモノマーと１種以上のα‐オレフィンとを含むかまたは本質的にアクリル酸エステルモノマーと１種以上のα‐オレフィンとからなるコポリマー、アクリル酸モノマーと１種以上のα‐オレフィンとを含むかまたは本質的にアクリル酸モノマーと１種以上のα‐オレフィンとからなるコポリマー、オキサゾリン官能性オレフィン、１種以上のアルキルアクリル酸モノマーと１種以上のα‐オレフィンとを含むかまたは本質的に１種以上のアルキルアクリル酸モノマーと１種以上のα‐オレフィンとからなるコポリマー、メタクリル酸グリシジルとα‐オレフィンとを含むかまたは本質的にメタクリル酸グリシジルとα‐オレフィンとからなるコポリマーまたはターポリマー、無水マレイン酸と１種以上のα‐オレフィンとを含むコポリマー、及び１種以上のα‐オレフィンと官能性グラフトとを含むか、本質的に１種以上のα‐オレフィンと官能性グラフトとからなるか、または完全に１種以上のα‐オレフィンと官能性グラフトとからなる主鎖を有するグラフトポリマーからなる群より選択され；前記官能性グラフトは、無水マレイン酸、アクリル酸エステル、アクリル酸、オキサゾリン、もしくはメタクリル酸グリシジル、またはそれらの組合せであり；
前記相溶化剤中の前記オレフィンの合計濃度は、前記相溶化剤の総重量に基づき、１０重量パーセントから９５重量パーセント未満であり、
前記カーボネートポリマー、前記相溶化剤、前記オレフィン系エラストマー、任意のポリエステル、任意のシリコーンエラストマー、及び任意の添加剤の合計濃度は、前記組成物の総重量に基づき、９５重量％より大きい、組成物。
【請求項２】
前記組成物が、前記組成物の総重量に基づき０．０５重量％以上４重量％以下の１種以上の添加剤を含み、前記組成物は、潤滑剤、離型剤、安定剤、染料、色素、加工助剤、難燃剤、有機充填材、無機充填剤、有機繊維、無機繊維、及び可塑剤からなる群から選択される前記１種以上の添加剤を含む、請求項１に記載の組成物。
【請求項３】
前記組成物が、１０重量パーセント〜４５重量パーセントの１種以上のポリエステルを含み、前記カーボネートポリマーの濃度が７０重量パーセント以下であり、且つ前記ポリエステルと前記カーボネートポリマーの合計濃度が、前記組成物の総重量に基づき、７５重量パーセント〜９８重量パーセントであり、前記１種以上の添加剤は１重量％以下で存在する、請求項２に記載の組成物。
【請求項４】
前記ポリエステルと前記カーボネートポリマーの合計濃度が、前記組成物の総重量に基づき、８５重量パーセント〜９５重量パーセントである、請求項３に記載の組成物。
【請求項５】
前記組成物が、前記組成物の総重量に基づき、０．１〜２０重量パーセントの濃度でケイ素含有ゴムを含む、請求項１〜４のいずれか１項に記載の組成物。
【請求項６】
前記オレフィン系エラストマーが、２重量％より大きく２０重量％未満の結晶化度、及び１００℃以下の融解温度を有する、請求項１又は２に記載の組成物。
【請求項７】
前記オレフィン系エラストマーが、エチレンとプロピレンとを含むコポリマーである請求項１〜５のいずれか１項に記載の組成物であって、前記オレフィン系エラストマーの総重量に基づき、プロピレンの濃度が８０重量パーセント〜９５重量パーセントであり、エチレンの濃度が５重量パーセント〜２０重量パーセントである、請求項６に記載の組成物。
【請求項８】
前記相溶化剤が、１種以上のα‐オレフィンと、１種以上のアクリル酸アルキルとを含むコポリマーである請求項１〜８のいずれか１項に記載の組成物であって、前記１種以上のα‐オレフィンの濃度が、前記相溶化剤の総重量に基づき、１０重量パーセント〜９０重量パーセントである、請求項７に記載の組成物。
【請求項９】
前記相溶化剤が、７０重量パーセント以上のエチレンを含む、請求項１〜８のいずれか１項に記載の組成物。
【請求項１０】
前記相溶化剤が、ＡＳＴＭ  ＩＳＯ  １１３３に従って１９０℃／２．１６ｋｇで測定される０．５〜４０ｇ／１０分のメルトインデックス、及び５０℃〜１１０℃の融解温度を有する、請求項１〜９のいずれか１項に記載の組成物。
【請求項１１】
前記カーボネートポリマーが、カーボネートエステルか、またはホスゲンもしくはハロホルメートから選択されるカーボネート前駆体のいずれかと、１種以上の二価フェノールとを反応させることより誘導される、請求項１〜１０のいずれか１項に記載の組成物。
【請求項１２】
複数のポリマーの総重量に基づき、前記カーボネートポリマーの濃度が４０重量パーセント以上であり、前記相溶化剤の濃度が０．２重量パーセント以上であり、且つ前記オレフィン系エラストマーの濃度が０．２重量パーセント以上である、請求項１〜１１のいずれか１項に記載の組成物。
【請求項１３】
前記組成物が、ポリエステル、シリコーンエラストマー、またはその両方をさらに含む、請求項１又は２に記載の組成物。
【請求項１４】
前記組成物が、０．１重量パーセント〜１５重量パーセントのエポキシ変性シリコーンアクリルゴムと、０．１重量パーセント〜２５重量パーセントのポリエチレンテレフタレートとを含む、請求項１又は２に記載の組成物。
【請求項１５】
前記カーボネートポリマーと、前記相溶化剤と、前記オレフィン系エラストマーと、任意のポリエステルと、任意のシリコーンエラストマーと、前記１種以上の添加剤との合計濃度が、前記組成物の総重量に基づき、９８重量パーセント以上である、請求項２に記載の組成物。